(57)【要約】  フレネルミラーを用いたシースルー表示システム用の光学導波路を有する投影ディスプレイが開示される。この導波路を用いたディスプレイは、色収差のない高解像度と、広視野角と、大きなアイボックスと、非常にコンパクトなサイズとを可能にする。投影ディスプレイは、第１のディスプレイとライトパイプとの間の投影レンズを使用し、ライトパイプはフレネルレンズに供給する。
2021529351.tif 000002
【特許請求の範囲】
【請求項１】
表示装置と、
投影レンズセットと、
ライトパイプと、
前記表示装置および前記投影レンズセットからの光線を前記ライトパイプに入力する入力結合プリズムと、
出力結合導波路と、
前記ライトパイプからの前記光線を前記出力結合導波路に反射する折り返し式ミラーと、を備え、
前記ライトパイプは矩形の断面を有し、前記ライトパイプの側面の表面は、開口部以外はコーティングまたは全反射（ＴＩＲ）によって反射性を有し、前記光線は、前記開口部を通って前記ライトパイプから出て前記折り返し式ミラーに向かい、前記折り返し式ミラーは、鋸歯状ミラーを有するとともに前記光線を前記出力結合導波路に向けて反射し、前記出力結合導波路は、複数の前記鋸歯状ミラーを有するとともに前記光線を見る者の目に向けて反射する、
ことを特徴とする、表示システム。
【請求項２】
請求項１において、
前記投影レンズセットはテレセントリックであり、前記表示装置から出射される主光線は、前記表示装置の表面に対して実質的に垂直をなし、ピクセルからの主光線は、前記入力結合プリズムの内部または近くで互いに交差する、
ことを特徴とする、表示システム。
【請求項３】
請求項１において、
前記入力結合プリズムは反射面を有し、前記反射面は前記投影レンズセットからの光線を受光し、前記光線を前記ライトパイプ内に反射し、前記反射面の法線ベクトルは、前記投影レンズセットの光軸に対して１５度から４５度の間にある、
ことを特徴とする、表示システム。
【請求項４】
請求項１において、
前記入力結合プリズムは反射面を有し、前記反射面は前記投影レンズセットからの光線を受光し、前記光線を前記ライトパイプ内に反射し、前記反射面の法線ベクトルは、前記ライトパイプの長辺に対して３０度から６０度の間にある、
ことを特徴とする、表示システム。
【請求項５】
請求項１において、
前記入力結合プリズムおよび前記ライトパイプの屈折率が１．４を上回る、
ことを特徴とする、表示システム。
【請求項６】
請求項１において、
前記ライトパイプから光が出ていく前記開口部のサイズは、前記ライトパイプの長辺沿いの位置によって変化する、
ことを特徴とする、表示システム。
【請求項７】
請求項１において、
前記ライトパイプの前記開口部のサイズの分布は、視野角全体で画像の輝度が均一になるように構成される、
ことを特徴とする、表示システム。
【請求項８】
請求項１において、
前記折り返し式ミラーは、前記ライトパイプの上面に対して１５度から４５度の間で傾斜しており、前記折り返し式ミラーの法線ベクトルは、前記投影レンズにおける光軸に対して平行な光線が前記ライトパイプの上面の法線ベクトルに実質的に平行となるように設定されている、
ことを特徴とする、表示システム。
【請求項９】
請求項１において、
前記折り返し式ミラーは、前記ライトパイプの上面に対して１５度から４５度の間で傾斜しており、前記折り返し式ミラーの法線ベクトルは、前記投影レンズにおける光軸に対して平行な光線が前記ライトパイプの上面の法線ベクトルに実質的に平行となるように設定されている、
ことを特徴とする、表示システム。
【請求項１０】
請求項１において、
前記出力結合導波路は、光線が入射しているプリズムに形成された傾斜側面を有し、前記傾斜側面の法線ベクトルは、前記折り返し式ミラーからの前記光線が前記出力結合導波路内へ反射され得るように、前記ライトパイプの上面に対して１５度から４５度の間にある、
ことを特徴とする、表示システム。
【請求項１１】
請求項１において、
前記出力結合導波路は、光線が入射するプリズムに形成された傾斜側面を有し、前記傾斜側面の法線ベクトルは、前記折り返し式ミラーからの前記光線が前記出力結合導波路内へ反射され得るように、前記ライトパイプの上面に対して１５度から４５度の間にある
ことを特徴とする、表示システム。
【請求項１２】
請求項１において、
前記出力結合導波路は、前記折り返し式ミラーからの前記光線を見る者の目に向けて反射する複数の鋸歯状ミラーを有し、フレネルミラーが存在しない平坦領域は、ＴＩＲ（全反射）によって前記光線を反射するとともに、外部光が前記見る者の目に到達できるように透明であり、前記鋸歯状ミラーの領域は、反射コーティングを有する、
ことを特徴とする、表示システム。
【請求項１３】
請求項１において、
前記出力結合導波路は、前記折り返し式ミラーからの前記光線を見る者の目に向けて反射する複数の鋸歯状ミラーを有し、前記鋸歯状ミラーに隣接する平坦領域において当該平坦領域と前記鋸歯状ミラーとの両方によって生じる二重反射を回避するために、前記平坦領域は光吸収領域を有する、
ことを特徴とする、表示システム。
【請求項１４】
請求項１において、
前記ライトパイプおよび／または前記出力結合導波路は、光を部分的に反射して非照明領域を減少させる１つまたは複数の層を有する、
ことを特徴とする、表示システム。
【請求項１５】
請求項１において、
前記出力結合導波路の表面は、内部反射された光線が完全に平坦な表面の角度と同じ角度となるように、複数の平坦な表面から形成される湾曲外殻を有している
ことを特徴とする、表示システム。
【請求項１６】
請求項１において、
像距離が有限遠で合焦するように、前記出力結合導波路の複数の鋸歯状ミラーの角度は場所によって異なる
ことを特徴とする、表示システム。
【請求項１７】
請求項１において、
複数の像距離を得るように、前記表示システムが複数セット重ねられているになっている、
ことを特徴とする、表示システム。
【発明の詳細な説明】
【技術分野】
【０００１】
（関連出願の相互参照）
本出願は、２０１８年６月３０日に先出願された仮出願第６２／６９２，６９９号の優先日を主張する非仮出願であり、また、２０１６年５月９日に先出願された非仮出願第１４／９９９，４５８号の一部継続出願でもある。
【０００２】
本発明は、微小プリズムを用いて薄型導波路を通して画像を投影するシースルー式ディスプレイに関する。このディスプレイは、反射面を有するプリズムまたはフレネルレンズと組み合わせた薄型導波路を有する潜望鏡として機能する。このディスプレイは、自動車用のシースルー式ヘッドアップディスプレイおよびウェアラブルディスプレイおよび広視野角（Field of ViewまたはＦＯＶ）および大型アイボックスを有する眼鏡ディスプレイに適している。
【背景技術】
【０００３】
近年、スマートフォンが市場に広く受け入れられた後、シースルー式ディスプレイは、特にヘッドアップディスプレイおよびウェアラブルディスプレイ用として注目を集めている。シースルー式ディスプレイは、ハンズフリー操作を提供するとともに、通常の視界と同様の距離で画像を示す。シースルー式ディスプレイに対する多大なニーズが存在している。ホログラムを用いたシースルー式ディスプレイが提案され、ある程度の成功した結果が得られた。しかし、従来、ホログラムを用いたシースルー式ディスプレイは、必ずしも見る者を満足させるものではなかった。その理由は、これらのシースルー式ディスプレイは、解像度が低すぎたり、光利用率が低すぎたり、視野角が十分でなかったり、結果的にゴースト像になってしまう不要な高次回折を除去することが困難である、ということが多かったからである。軽量で小型で明るく高解像度およびシースルー方式を可能にする光学システムが必要とされている。本発明は、ＬＣＤ、ＬＣＯＳ、ＯＬＥＤ、マイクロミラー、およびレーザビームスキャナなどの従来の表示装置を使用して、上記のニーズのすべてを満たす新しい光学システムを提供する。
【０００４】
図１に示すように、Freedmanは、米国特許第７７７９６０号明細書において、フレネルレンズを使用して画像の反射方向を変換するヘッドアップディスプレイを開示した。しかし、当該発明では、ディスプレイの小型化ができない。
【０００５】
図２に示すように、Voloschenkoらは、米国特許第７０３１０６７号明細書において、自動車のダッシュボードに組み込まれたヘッドアップディスプレイを開示した。当該発明は、ディスプレイの小型化ができない。
【０００６】
図３に示すように、Kasaiらは、米国特許第７４６０２８６号明細書において、ホログラフィック光学素子を用いてシースルー機能を実装する眼鏡型表示システムを開示している。このシステムは、ディスプレイのサイズを実質的に減少させることができる。しかし、このシステムにはホログラムが必要であり、光の利用効率が低く、高解像度および広視野角が困難である。
【０００７】
図４に示すように、Mukawaらは、ＳＩＤ２００８ダイジェストＩＳＳＮ／００８−０９０６Ｘ／０８／３９０１−００８９「ホログラフィック平面導波路を用いたフルカラーアイウェアディスプレイ」において、２つのホログラフィック光学素子を有するシースルー機能を実行する眼鏡型表示システムを開示した。当該システムは、ディスプレイのサイズを実質的に減少させることができる。しかし、このシステムにはホログラムが必要であり、光の利用効率が低く、高解像度および広視野角が困難である。
【０００８】
図５に示すように、Saarikkoらは、米国特許出願公開公報ＵＳ２０１６／０２３１５６８号明細書において、シースルー式ディスプレイを可能にする回折面を使用する導波路を開示した。このディスプレイは、見る者にとって閲覧領域を制限する大きなアイボックスを形成するために大きな「折り返し」領域を必要とする。また、回折は、格子表面による位相変化を細かく調整することを必要とする。また、広スペクトル光源が使用される場合には色収差が生じる。
【０００９】
図６に示すように、Takagiらは、米国特許第８，７８０，４４７号明細書において、ハーフミラーを使用して虚像を形成するシースルー式ディスプレイを可能にする光学系を開示した。この光学系では、平面ミラーが１枚であるため、導波路の厚さを減少させるには限界がある。この光学系を用いた製品は、市販されている。
【００１０】
図７によると、Amitai（米国特許第７６７２０５５号明細書）は、傾斜角面を有するプレートを有して製造されたダイクロイックミラーを備える導波路を使用するシースルー式ディスプレイを開示している。この構造は、導波路の厚さに起因して視野の制限がある。
【００１１】
携帯可能であり、ハンズフリーであり、かつ安全性があるため、ウェアラブルシースルー式ディスプレイが人気を博しつつある。しかし、通常の眼鏡と同様にコンパクトで高解像度と広視野と大型アイボックスとを有するウェアラブルシースルー式ディスプレイは、まだ市場に出回っておらず、この技術に対してする要望は長い間ある。本発明は、これらのニーズを満たすものを提供する。
【発明の概要】
【課題を解決するための手段】
【００１２】
本発明は、眼鏡型ディスプレイ、ヘッドアップディスプレイおよび薄型投影ディスプレイに適した独自の非常にコンパクトなシースルー式ディスプレイを開示する。このディスプレイは、図８に示されるように、１）プロジェクタ（８０１）と、２）入力結合プリズム（８０２）を有するライトパイプ（８０３）と、３）鋸歯状プリズムを有する折り返し式ミラー（８０５）と、４）出力結合導波路（８０７）と、を備える。
【００１３】
プロジェクタ（８０１）は、ＬＣＤと、マイクロミラーデバイスまたはＯＬＥＤ表示装置と、携帯電話のカメラのレンズセットと同様のレンズセットと、を備える。プリズムは、プロジェクタからの光線をライトパイプ（１００４）内に導くための入力結合光学系（図１０の１００３）に使用される。携帯電話のカメラは非テレセントリックレンズを使用するが、テレセントリック光学系（１００２）が投影光学系により適している。入力結合プリズムの後、光線はライトパイプ（図１１の１１０１または図１２の１２０３）に入力される。図１１に示すようなパイプ内の光線は、出力結合導波路（８０７）に向けて９０度折り曲げられるか屈折されなければならない。ライトパイプ（１１０１）の表面は、表示装置内のピクセルの各々からの光線（１１０５）の１つの方向のみを受け取る。しかしながら、このタイプのライトパイプは、上部が大きく、空間を占有し過ぎる。従来技術において開示されたディスプレイは、この空間に悩まされているが、本発明は、実質的により小型のライトパイプを提供することができる。本発明は回折を使用しないので、投影レンズの後に色収差が存在せず、従来技術のような三層の導波路ではなく単一の出力結合導波路が可能になる。
【００１４】
本発明の一態様は、表示装置と、ライトパイプに光を投影するための投影レンズセットとを備える、新規かつ改良された表示システムを提供することである。このシステムは、表示装置および投影レンズセットからの光線をライトパイプに入力する入力結合プリズムをさらに備える。システムは、出力結合導波路と、ライトパイプからの光線を出力結合導波路に向けて反射する折り返し式ミラーとをさらに備え、ライトパイプは矩形の断面を有し、ライトパイプの側面の表面は、開口部以外はコーティングまたは全反射（ＴＩＲ）による反射性を有し、光線は、開口部を通ってライトパイプから出て折り返し式ミラーに向かい、折り返し式ミラーは、鋸歯状ミラーを有し、光線を前記出力結合導波路に向けて反射し、出力結合導波路は、複数の鋸歯状ミラーを有するとともに光線を見る者の目に向けて反射する。別の好適な一実施形態において、投影レンズセットはテレセントリックであり、表示装置から出射される主光線は、表示装置の表面に対して実質的に垂直であり、ピクセルからの主光線は、入力結合プリズムの内部または近くで互いに交差する。別の好適な一実施形態において、入力結合プリズムは反射面を有し、反射面は投影レンズセットからの光線を受光し、光線をライトパイプ内に反射し、反射面の法線ベクトルは、投影レンズセットの光軸に対して１５度から４５度の間にある。別の好適な一実施形態において、入力結合プリズムは反射面を有し、反射面は投影レンズセットからの光線を受光し、光線をライトパイプ内に反射し、反射面の法線ベクトルは、ライトパイプの長辺に対して３０度から６０度の間にある。別の好適な一実施形態において、入力結合プリズムおよびライトパイプの屈折率が１．４を上回る。別の好適な一実施形態において、開口部のサイズは、ライトパイプの長辺沿いの位置によって変化する。別の好適な一実施形態において、折り返し式ミラーは、ライトパイプの上面に対して１５度から４５度の間で傾斜しており、折り返し式ミラーの法線ベクトルは、投影レンズにおける光軸に対して平行な光線が前記ライトパイプの上面の法線ベクトルに実質的に平行となるように設定されている。別の好適な一実施形態において、折り返し式ミラーは、ライトパイプの上面に対して１５度から４５度の間で傾斜しており、折り返し式ミラーの法線ベクトルは、投影レンズにおける光軸に対して平行な光線がライトパイプの上面の法線ベクトルに実質的に平行となるように設定されている。別の好適な一実施形態において、出力結合導波路は、光線が入射しているプリズムを形成する傾斜側面を有し、傾斜側面の法線ベクトルは、ライトパイプの上面に対して１５度から４５度の間にあり、それにより、折り返し式ミラーからの光線が出力結合導波路内へ反射され得る。別の好適な一実施形態において、出力結合導波路は、光線が入射するプリズムを形成する傾斜側面を有し、傾斜側面の法線ベクトルは、ライトパイプの上面に対して１５度から４５度の間にあり、それにより、折り返し式ミラーからの光線が出力結合導波路内へ反射され得る。別の好適な一実施形態において、出力結合導波路は、折り返し式ミラーからの光線を見る者の目に向けて反射する複数の鋸歯状ミラーを有し、フレネルミラーが存在しない平坦領域は、ＴＩＲ（全反射）によって光線を反射するとともに、外部光が見る者の目に到達できるように透明であり、鋸歯状ミラーの領域は、反射コーティングを有する。別の好適な一実施形態において、ライトパイプおよび／または出力結合導波路は、光を部分的に反射して非照明領域を減少させる１つまたは複数の層を有する。別の好適な一実施形態において、出力結合導波路の表面は、複数の平坦な表面から形成される湾曲外殻を有しており、それにより、内部反射された光線ビームが完全に平坦な表面の角度と同じ角度となる。別の好適な一実施形態において、出力結合導波路の複数の鋸歯状ミラーの角度は場所によって可変であり、それにより、画像が有限距離で合焦するようになっている。別の好適な一実施形態において、表示システムが複数セット重ねられており、それにより、複数の距離における画像が見ることができるようになっている。
【図面の簡単な説明】
【００１５】
【図１】図１は、或る米国特許に公開されたフレネルレンズを有する反射スクリーンを有するヘッドアップディスプレイを示している。このヘッドアップディスプレイは、従来型のミラーからの反射方向を変換するが、表示システムのサイズは減少しない。
【図２】図２は、大きなスペースを必要とするダッシュボードに埋め込まれた別のヘッドアップディスプレイを示す。
【図３】図３は、米国特許第７４６０２８６号明細書に関連する公開技術報告書にKasaiが示した先行技術の画像表示システムの断面図である。
【図４】図４は、MukawaらによるＳＩＤ２００８ダイジェストＩＳＳＮ／００８−０９０６Ｘ／０８／３９０１−００８９「ホログラフィック平面導波路を用いたフルカラーアイウェアディスプレイ」である。図４に示されるウェアラブルディスプレイは、シースルー機能を備え得ることが実証されている。
【図５】図５は、入力結合および出力結合の両方のために回折格子を使用する、米国特許出願公開第２０１６０２３１５６８号明細書に開示される別のシースルー式ディスプレイである。
【図６】図６は、Takagiらによる米国特許第８，７８０，４４７号明細書に開示されているハーフミラーを用いて仮想イメージを形成することによってシースルー式ディスプレイを可能にする光学系を示す。
【図７】図７は、導波路の厚さ全体にわたって延在するダイクロイックコーティングを用いる光学系を有する、Amitaiらによって開示された別のシースルー式ディスプレイである。
【図８】図８は、眼鏡型ディスプレイを示す本発明の例示的な一実施形態を示す。
【図９】図９は、投影表示装置および投影レンズセットを示す図である。
【図１０】図１０は、導波路に光線を導入する入力結合光学系を示している。
【図１１】図１１は、入力結合光学系からの光線の軌跡を示す。
【図１２】図１２は、大型の導波路ではなく狭いライトパイプを有する入力結合光学系から光を導くライトパイプの一例を示す。
【図１３】図１３は、表示装置（１３０１）から出て投影レンズ（１３０２）と、入力結合プリズムと、ライトパイプ（１３０４）と、開口部（１３０５）と、折り返し式ミラー（１３０６）と、出力結合導波路（１３０８）とを通過する光の軌跡を例示的に示す。
【図１４】図１４は、ライトパイプ、開口部および折り返し式ミラーの詳細を示す。
【図１５】図１５および図１５Ａは、本発明の投影システムにおいて交差する２つの光線の軌跡を示す。
【図１６】図１６は、本発明の別の例示的な実施形態を示し、導波路全体にわたって中心ビームに対して極めて均一な光線の分布を示す。
【図１７】図１７は、右下の光線の領域の中に非照明領域が含まれている、本発明の別の例示的な一実施形態を示す。
【図１８】図１８は、９つの点すべてを含む光線の軌跡の一例を示す本発明の別の例示的な一実施形態を示す。
【図１９】図１９は、光線の軌跡を上から示す本発明の別の例示的な一実施形態であり、非常に大型のアイボックスが示されている。
【図２０】図２０は、出力結合導波路を示す本発明の別の例示的な一実施形態を示す。
【図２１】図２１は、すべてのフレネルミラーの角度が等しく、無限遠の画像となる本発明の別の例示的な一実施形態を示す。
【図２２】図２２は、場所によってフレネルミラーの角度を変化させることによって有限遠の画像となる本発明の別の例示的な一実施形態を示す。
【図２３】図２３は、表示システムの追加セット（１つまたは複数）が追加され二つまたは複数の距離の画像を得る、本発明の別の例示的な一実施形態を示す。
【図２４】図２４は、除去すべきゴースト像である不所望の反射を生じる可能性のあるフレネルミラーを示す。
【図２５】図２５は、画像の可視性に影響を及ぼす非照明領域のいくつかが最小化される別の例示的な一実施形態を示す。
【図２６】図２６は、本発明の別の例示的な一実施形態であって、導波路の表面に段を導入して同一の反射角度を維持することによって、反射角度を変えることなく導波路の湾曲した眼鏡が達成される、一実施形態を示す。
【発明を実施するための形態】
【００１６】
ここで、実施形態を詳細に参照する。実施形態の例は、添付の図面に示されている。以下の詳細な説明では、本明細書に提示される主題の完全な理解を提供するために、多数の具体的な詳細が記載される。しかし、当該主題がこれらの具体的な詳細なしに実施または設計され得ることは、当業者には明らかであろう。他の事例、周知の方法、手順、構成要素、および回路は、実施形態の態様を不必要に曖昧にしないように詳細には記載されていない。
【００１７】
以下、本開示の技術的な解決策を、添付の図面を参照しながら明瞭にかつ完全に記載する。記載される実施形態は例であり、本開示の実施形態の全てではなく一部にすぎないということは明らかである。本開示の説明された実施形態に基づいて当業者が得られるすべての他の実施形態は、本開示の保護範囲内に入るものとする。
【００１８】
本発明の目的は、シースルー式ディスプレイを達成することである。このシースルー式ディスプレイは、水平方向に６０度（またはプラスマイナス３０度）を超える広視野（ＦＯＶ）と１５ｍｍ程度の大きさのアイボックスと４Ｋ程度の高解像度とを有し、眼鏡に適合するコンパクトなサイズで、見る者のニーズおよび要望を満たすものである。上記の仕様の全てを満たす拡張現実またはＡＲディスプレイが、本発明によって達成され得る。アイレリーフは、結合器までの距離として定義される。なお、結合器とは、外部の実像と生成した画像とを結合する装置である。本願では、導波路の出力結合ユニットが結合器である。アイレリーフは、典型的には、本物または偽物の睫毛に応じて８ミリメートルから１５ミリメートルである。眼球の直径は、約１インチまたは２５ミリメートルであり、眼球は球の中心回りに回転する。見る者のアイレリーフが１５ミリメートルであり見る者がＦＯＶの縁部を凝視しているとき、眼球は約３０度回転し、画像はこの条件で可視である必要がある。これには、アイボックスのサイズが水平方向に１３ミリメートル以上であることが必要とされる。
【００１９】
本発明の例示的な一実施形態を図８に示す。ピクセル配列を有するディスプレイが（８０８）に配置され、一組の投影レンズ（８０１）が配置される。光線がプリズム（８０２）上に投影され、ライトパイプ（８０３）に入力される。光線は、ライトパイプ（８０３）内に伝播し、プリズム（８０２）からの元の光線と同じ方向を有する光線のみが選択され、折り返し式ミラー（８０５）に導かれる。光線は、折り返し式ミラーによって出力結合導波路（８０７）に向けて約９０度反射される。光線は、出力結合導波路内で鋸歯状であるフレネルミラーによって見る者の目に向かって反射される。各ブロックの詳細については後の段落で述べる。
【００２０】
本発明の入力結合光学系の例示的な一実施形態を図９に示す。表示装置（９０３）が配置されており、この表示装置は光線（９０４）を一組の投影レンズ（９０５）に出射する。このレンズセットは、テレセントリック光学系として設計されている。このことが意味するのは、投影レンズセットに入射する表示装置の各ピクセルからの光線（９０４）のうち主光線が投影レンズセットの光軸（９０９）に実質的に平行である、ということである。このレンズセットは、９０７ａ、９０７ｂ、および９０７ｃに示されるように、単一のピクセルから投影される光線のすべてが互いに実質的に平行であるように、画像が無限遠または実質的に無限遠となる距離に合焦されるように設計されなければならない。この光学系は、単一のピクセルからの光線のすべてが平行であることを確実にする。これは、光線がライトパイプ内で混合された後に画像を合焦するための重要な原理である。なぜなら、この光学系は、同じ方向を有する全ての光線が単一のピクセルからのものであることを保証するからである。この入力結合光学系は、９０％から１００％の効率で光線を伝達する。最大角度（９０２）は、プリズムがポリカーボネートで作られている場合にはプラスマイナス４２．６度までとすることができる。そして、この角度は、ポリカーボネートの屈折率よりも高い屈折率のものが使用される場合には、さらに大きくすることができる。このことによって、プラスマイナス３０度以上または６０度以上のＦＯＶが確実になる。
【００２１】
本発明のライトパイプの例示的な一実施形態を図１２に示す。入力結合プリズムの鏡面（１２０２）は、投影レンズからの全ての光線をライトパイプの側壁に当たるように４５度回転させる。光線が入力結合導波路に入力された後、９つの点（ｘ軸およびｙ軸上の中心、４つの角、および４つのエッジ点）を含む光線の方向が図１１に示される。光線は、この導波路内で出力結合に向かって約９０度屈折することができるが、そのためには大きな領域を必要とする。折り返し領域を減少させるために、１つの光が使用される。しかし、（１２０３）として示されるライトパイプは、側壁ならびに頂壁および底壁での反射に起因して、４つの異なる方向を含むことになる。必要な方向は、４つの方向のうち１つの方向のみである。必要な方向の光線を選択するために選択機構が必要である。
【００２２】
本発明の選択機構の例示的な一実施形態を図１３および図１４に示す。ライトパイプ（１３０４および１４０１）の断面が示されている。ライトパイプの４つの側面は、ＴＩＲ（全反射）または反射コーティング（１４０５）のいずれかによって反射する。ライトパイプの上面は、（１４０１）としてマークされている。必要な方向を有する光線（１４０６）のみが通過できる開口部（１４０４）がある。開口部を通過した光線（１４０６）は、折り返し式ミラー（１４０７）によって反射されることになる。折り返し式ミラーは、鋸歯状（フレネル型）プリズム（図１５の１５０７）であり、光線を出力結合（１３０８および１５０９）に向けて反射するように設計されている。ライトパイプの端から端まで輝度の均一性を得るために、開口部のサイズは場所によって変化している。入力結合プリズムに近い領域は、遠い領域よりも小さい開口部となっている。
【００２３】
本発明の例示的な一実施形態を図１６に示す。中心ピクセルからの光線の軌跡を（１６０９）として示す。表示装置および投影レンズ（１６０１）、投影レンズからの全ての光線をライトパイプ（１６０３）の側壁に当たるように４５度回転させる入力結合プリズム（１６０２）。ライトパイプに入る前の光線と同じ方向を有する光線が、折り返し式ミラー（１６０８）に伝えられて、出力結合導波路（１６０６）に向かって反射される。図１６に示すシミュレーションでは、導波路全体にわたって中心ビームに対して極めて均一な光線の分布を示している。右下部の光線に関するシミュレーションが図１７に示されている。この図は、非照明領域（１７０７）をいくつか示している。この非照明領域は、このディスプレイのアイボックスを制限する。眼球がこの領域を凝視すると、右下の画像は見えないが、他の方向の画像は見える。図１８のシミュレーションでは、９つの点全てを含む光の軌跡の一例を示している。図１９は、光線の軌跡を上から示す本発明の別の例示的な一実施形態であり、非常に大型のアイボックスが示されている。
【００２４】
本発明の例示的な一実施形態を図２０に示す。この図は、出力結合導波路を示す。光線（２００７）は、出力結合導波路の一部である別のプリズム（２００６）に入力され、内部で反射される。光線（２００８）は、導波路の頂壁および底壁で複数回反射され、それらの光線の一部は、フレネルミラー（２００１）に当たって、見る者の目に向かって反射される。ミラーのピッチ（２００３）および幅（２００４）は、導波路全体にわたる輝度の均一性を保証するように選択される。全ての光線が必ずしもＴＩＲ（全内部反射）内にあるわけではないので、ミラー部分（２００４）は反射材料でコーティングされる。
【００２５】
本発明の例示的な一実施形態を図２１および図２２に示す。すべてのフレネルミラーの角度が等しい場合、図２１に示すように像距離は無限遠となるであろう。図２２に示すように、フレネルミラーの角度を場所によって変えることにより、有限遠の像距離を得ることができる。
【００２６】
本発明の例示的な一実施形態を図２３に示す。図２３に示すように、追加の表示システム（１つまたは複数）が追加されることによって、２つ又は複数の像距離を実現可能である。
【００２７】
本発明の例示的な一実施形態を図２４に示す。フレネルミラーは、図２４に示すよう不所望の反射（２４０５および２４０６）を生じる可能性があり、この不所望の反射はいわゆるゴースト像を生じる可能性があるので除去しなければならない。このタイプの不所望の反射は、ミラー前の所定の領域のみで起こることからこの領域に、光吸収材料（２４１４）をコーティングするとよい。
【００２８】
本発明の例示的な一実施形態を図２５に示す。図２５に示す光線の軌跡は、いくつかの非照明領域（２５０１）を示している。この非照明領域は、画像の可視性に影響を与えるものであり、最小化しなければならない。部分反射層を、ライトパイプおよび／または出力結合導波路に挿入させるか、または、ライトパイプおよび／または出力結合導波路の上部に追加させる。この部分反射層は、異なる屈折率（複数可）を有する材料（複数可）の層をコーティングまたは挿入することによって実現できる。
【００２９】
本発明の例示的な一実施形態を図２６に示す。見る者が、導波路が湾曲した眼鏡を望むことがある。そこで、図２６に示すように、導波路の表面に段を導入して同一の反射角度を維持することによって、反射角度を変えずに済む。溝が見えないようにするためには、段の高さを最小にしなければならない。
【００３０】
前述の説明は、説明の目的で、特定の実施形態を参照して説明されている。しかしながら、前述の例示的な説明は、網羅的であること、または開示された厳密な形態に本開示を限定することを意図するものではない。上記の教示を考慮して、多くの修正および変形が可能である。実施形態は、本開示の原理およびその実際的な用途を最もよく説明するために選択され、説明され、それによって、他の当業者が、企図される特定の使用に適した様々な修正を伴う本開示および様々な実施形態を最もよく利用することを可能にする。
【図１】
2021529351.tif 000003
【図２】
2021529351.tif 000004
【図３】
2021529351.tif 000005
【図４】
2021529351.tif 000006
【図５】
2021529351.tif 000007
【図６】
2021529351.tif 000008
【図７】
2021529351.tif 000009
【図８】
2021529351.tif 000010
【図９】
2021529351.tif 000011
【図１０】
2021529351.tif 000012
【図１１】
2021529351.tif 000013
【図１２】
2021529351.tif 000014
【図１３】
2021529351.tif 000015
【図１４】
2021529351.tif 000016
【図１５】
2021529351.tif 000017
【図１５Ａ】
2021529351.tif 000018
【図１６】
2021529351.tif 000019
【図１７】
2021529351.tif 000020
【図１８】
2021529351.tif 000021
【図１９】
2021529351.tif 000022
【図２０】
2021529351.tif 000023
【図２１】
2021529351.tif 000024
【図２２】
2021529351.tif 000025
【図２３】
2021529351.tif 000026
【図２４】
2021529351.tif 000027
【図２５】
2021529351.tif 000028
【図２６】
2021529351.tif 000029
【国際調査報告】
2021529351.tif 000030